(57)【要約】【課題】  吐水口から水を水田等に給水する際、水田の地表面を水流により洗堀することなく給水できる吐水口用洗堀防止具を提供する。【解決手段】  分水用コンクリート枡３の吐水口４から水ｗが落下する地表面６の箇所に載置される吐水受け体11と、吐水受け体11と一体に設けられ前記地表面６に固定する固定部12と、吐水受け体11に流出方向規制部13，14を設ける。吐水口４より吐出した水ｗによる地表面６の洗堀を吐水受け体11により防止できると共に、吐水受け体11は固定部12を介して地表面６に固定されるようになっているので、吐水口４より吐出して吐水受け体11上に落下した水ｗの衝撃により、吐水受け体11が動き出すことはない。【選択図】図１
2005124453.tif 000002
【特許請求の範囲】
【請求項１】
給水路の吐水口から水が落下する地表面の箇所に載置される吐水受け体と、この吐水受け体と一体に設けられ前記地表面に固定する固定部とを備えたことを特徴とする吐水口用洗堀防止具。
【請求項２】
前記吐水受け体は平板状に形成され、前記固定部は前記地表面への挿入部により形成されることを特徴とする請求項１記載の吐水口用洗堀防止具。
【請求項３】
前記吐水受け体に流出方向規制部を設けたことを特徴とする請求項１又は２記載の吐水口用洗堀防止具。
【発明の詳細な説明】
【技術分野】
【０００１】
本発明は、給水路の吐水口から水田等の地表面に給水するための吐水口用洗堀防止具に関するものである。
【背景技術】
【０００２】
従来、水田の給水にあっては畦に設けた給水栓の吐水口或いは分水用コンクリート枡の吐水口より直接水田の地表面に給水していた。このような給水にあっては水は吐水口より勢いよく水田に落下することとなる。そのため吐水口からの落水によって給水栓或いは分水用コンクリート枡付近の水田の地表面が掘られて穴となり、すなわち、水田の地表面が洗堀されてしまう。
【０００３】
このような問題を解決するものとして、水路に接続する給水管の先端に吐水管を平面Ｔ字状に接続し、その吐水管の両側開口部に至る管路内に邪魔板を設け、そして、吐水管の両側開口部より水田に給水する際、吐水管内では邪魔板によって水の勢いが弱められて吐水管先端より給水されるというものである。
【特許文献１】実開平６−６８４２８号公報
【発明の開示】
【発明が解決しようとする課題】
【０００４】
しかしながら、このような水田用給水具においては、吐水管内で邪魔板によって水の勢いが弱められたとしても、水の落下に伴って給水時に水田の地表面が洗堀されてしまうおそれがある。このため洗堀による穴の周囲の傾斜した箇所に苗を植え付けることができなかったり、或いは植え付けても苗が倒れるなどして、苗が成長しなくなり、結果として収穫量に影響を与えることが懸念される。また稲刈り時においては穴に溜まった水がなかなか乾かなく稲刈り機が操行しにくくなるなどのおそれもある。
【０００５】
解決しようとする問題点は、水田等の給水路の吐水口から水田に落下して給水する際、前記落下に伴う地表面の洗堀を防止する吐水口用洗堀防止具を提供するものである。
【課題を解決するための手段】
【０００６】
請求項１の発明は、給水路の吐水口から水が落下する地表面の箇所に載置される吐水受け体と、この吐水受け体と一体に設けられ前記地表面に固定する固定部とを備えたことを特徴とする吐水口用洗堀防止具である。
【０００７】
請求項２の発明は、前記吐水受け体は平板状に形成され、前記固定部は前記地表面への挿入部により形成されることを特徴とする請求項１記載の吐水口用洗堀防止具である。
【０００８】
請求項３の発明は、前記吐水受け体に流出方向規制部を設けたことを特徴とする請求項１又は２記載の吐水口用洗堀防止具である。
【発明の効果】
【０００９】
請求項１の発明によれば、吐水受け体は固定部によって地表面に固定されており、そして吐水口より吐出した水は、吐水受け体上に落下することにより地表面の洗堀を防止できる。
【００１０】
請求項２の発明によれば、挿入部を地表面に挿入することにより、吐水受け体を簡単に地表面に固定でき、さらに吐水口より吐出した水は、平板状の吐水受け体上に落下することによりその衝撃力をほぼ均等に地表面に伝達できる。
【００１１】
請求項３の発明によれば、吐水受け体上に落下した水は流出方向規制部に案内されて所望方向に流出することができる。
【発明を実施するための最良の形態】
【００１２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１３】
図１〜図３は実施例１を示しており、水田１の畦２に給水路たる分水用コンクリート枡３が設けられており、この枡３には農業用水が供給されており、この枡３の水田側側面の上部に水田１に給水するための横長でほぼ角形な吐水口４が設けられている。尚、実施例では枡３に給水栓５が設置されて該給水栓５より枡３内に給水され、そして吐水口４より水田１の地表面６上に水ｗが落下するようになっている。
【００１４】
前記水ｗが落下する箇所の地表面６上に設置される吐水口用洗堀防止具10は、平面が矩形の吐水受け体11と、この吐水受け体11の縁に下方へ突設して地表面６へ挿入する固定部12とを備えており、さらに吐水受け体11の側面の左右と奥の３方向の縁には流出方向規制部13，14が立上り板状に設けられていると共に、残りの側面の１方向の前面には流出用開口部15が設けられている。
【００１５】
前記吐水受け体11、固定部12及び流出方向規制部13，14はステンレス等の鋼、アルミニウム或いは合成樹脂などによって形成されるものであり、前記吐水受け体11や流出方向規制部13，14においては落下する水圧等に耐える強度と耐腐食性を有しており、これら吐水受け体11と流出方向規制部13，14は金属板であれば縁側を折り曲げ起立して流出方向規制部13，14を形成するものであり、また吐水受け体11と流出方向規制部13，14は合成樹脂製であれば一体成型したものである。尚、平面が矩形の吐水受け体11の長さＡ、すなわち枡３の水田側側面に対向する側の長さａは、吐水口４の幅ａより大きく形成され（Ａ＞ａ）、一方吐水受け体11の幅Ｂ、すなわち長さＡの方向と直交する方向の幅Ｂは、吐水口４より落下する水ｗの高さｂより大きいように形成している（Ｂ＞ｂ）。さらに固定部12においては破損することなく水田１の地表面６に差し込むことができ、さらには前記水圧に抗して地表面６に固定できる強度と耐腐食性を有しており、この３方向に設けられた固定具12が金属、合成樹脂であれば薄い短冊状の部材の上端16側を、３方向に設けた前記流出方向規制部13，14を介して吐水受け体11と一体に設けたものであり、上端16は流出方向規制部13，14にボルト・ナット17によって着脱自在に固定している。そして、固定具12の下端18を地表面６へ深く挿入するようにして挿入部を形成しており、この挿入長さ、すなわち吐水受け体11から下方に向けて延長する長さＣは、水田１の地表面６にある軟質な泥状の土を通りぬけて比較的硬い泥状の土に至るように１５ｃｍ以上であり、さらには２０ｃｍ以上で２５ｃｍ程度とすることが好ましい。尚、ボルト・ナット17に代えて固定具12を流出方向規制部14に溶接、接着或いは嵌着など適宜固定手段によって着脱自在に固定してもよい。また、吐水受け体11、固定部12及び流出方向規制部13，14を合成樹脂により一体成型してもよい。
【００１６】
次に前記構成についてその作用を説明する。予め流出用開口部15を所望方向に向けた状態で、吐水口４より落下する水田１の地表面６の箇所に吐水受け体10を配置すると共に、固定部12を地表面６に挿入して固定する。したがって、吐水口４から水田１に給水される水は、吐水受け体10上に落下した後、いったん吐水受け体11上に溜まり、そして流出方向規制部13，14によって流出方向が規制されて、流出用開口部15より水田１へと流出する。
【００１７】
以上のように前記実施例では、吐水受け体10は固定部12によって地表面６に固定されており、そして吐水口４より吐出した水ｗは、吐水受け体11上に落下することにより水ｗの勢いを吐水受け体11により受けとめて水田１に給水するようにしているので、吐水口４より吐出した水ｗによる地表面６の洗堀を防止できると共に、吐水受け体11は固定部12を介して地表面６に固定されるようになっているので、吐水口４より吐出して吐水受け体11上に落下した水ｗの衝撃により、吐水受け体11が動き出すことはないので、常時吐水口４からの水ｗを吐水受け体11により受けとめることができる。このため、水田１に給水される水ｗの勢いは弱まるため、水田１の地表面６の土を掘り起すことなく、したがって、吐水口４付近に植え付けられた苗は他の苗と同様に成長し、他の場所と同様に稲刈り機を操行させることができる。依って、苗の成長を阻害せず、稲刈り機の操行もスムーズに行える。
【００１８】
また、固定部12は前記地表面６へ挿入することにより、吐水受け体11を簡単に地表面６に固定でき、さらに吐水口４より吐出した水ｗは、平板状の吐水受け体11上に落下することによりその衝撃力をほぼ均等に地表面６に伝達できる。
【００１９】
さらに、吐水受け体11に流出方向規制部13，14を設けて、吐水受け体11上に落下した水ｗを流出方向規制部13，14によりして所望方向に流出することにより、吐水口４から導入された水ｗは、吐水受け体11に当り勢いが弱められ、４方向に飛び散るところを、３方向の流出方向規制部13，14に当り、さらに水ｗの勢いが弱められ、流出方向規制部のない１方向の流出用開口部15より水田１の所望方向に給水を行うことができる。
【００２０】
しかも、吐水口用洗堀防止具10は吐水口４より少し離れて独立して設置をするため、吐水口４から水田１までの長さに関係なく、どの箇所の枡３にも固定部12を水田１の地表面６に差し込むだけで簡単に取り付けられ、吐水口４より吐き出される水流の角度に合せてほぼ直角に取り付けて水ｗの勢いをさらに弱め、流出方向規制部のない流出用開口部15を水ｗを流したい方向に向ければ、その方向に水を流すこともできる。そして、吐水口４は枡３のような角形でも、図示しないが合成樹脂管のような丸形でも対応できる等のように、吐水口４の形状や大きさに左右されず、水の勢いが弱められて所望方向に給水することができる。
【実施例２】
【００２１】
図４は実施例２を示しており、前記実施例１と同一部分には同一符号を付し、その詳細な説明を省略する。吐水口用洗堀防止具10ａは、吐水受け体11の側面の左右の２方向の縁には流出方向規制部13が立上り板状に設けられていると共に、残りの側面の２方向の前面には流出用開口部15が設けられている。さらに、吐水受け体11と一体に設けられる固定部12ａは薄い短冊状の部材であって、前後に一対設けられており、吐水受け体11の下面に上端17ａ側を接続すると共に、下端18ａを下方に突設している。
【００２２】
したがって、予め両側の流出用開口部15を所望方向に向けた状態で、吐水口４より落下する水田１の地表面６の箇所に吐水受け体10ａを配置すると共に、固定部12ａを地表面６に挿入して固定する。これにより、吐水口４から水田１に給水される水は、吐水受け体10上に落下した後、いったん吐水受け体11上に溜まり、そして流出方向規制部13によって流出方向が規制されて、流出用開口部15より水田１へと流出する。
【００２３】
以上のように前記実施例では、前記実施例と同様に吐水受け体10は固定部12ａによって地表面６に固定されており、そして吐水口４より吐出した水ｗは、吐水受け体11上に落下することにより水ｗの勢いを吐水受け体11により受けとめて水田１に給水するようにしているので、水ｗによる地表面６の洗堀を防止できる。
【実施例３】
【００２４】
図５は実施例３を示しており、前記実施例１と同一部分には同一符号を付し、その詳細な説明を省略する。吐水口用洗堀防止具10ｂは、吐水受け体11上の全面に流出用開口部15が設けられている。さらに、吐水受け体11と一体に設けられる固定部12ｂは、下向きの差し込み可能な円柱状であって吐水受け体11の下面の中央に上端17ｂ側を接続すると共に、下端18ｂを下方に突設している。
【００２５】
したがって、予め両側の流出用開口部15を全面方向に向けた状態で、吐水口４より落下する水田１の地表面６の箇所に吐水受け体10ｂを配置すると共に、固定部12ｂを地表面６に挿入して固定する。これにより、吐水口４から水田１に給水される水は、吐水受け体10上に落下した後、いったん吐水受け体11上に溜まり、そして流出用開口部15より水田１へと全面的に流出する。
【００２６】
以上のように前記実施例では、前記実施例と同様に吐水受け体10は固定部12ｂによって地表面６に固定されており、そして吐水口４より吐出した水ｗは、吐水受け体11上に落下することにより水ｗの勢いを吐水受け体11により受けとめて水田１に給水するようにしているので、水ｗによる地表面６の洗堀を防止できる
【実施例４】
【００２７】
図６は実施例４を示しており、前記実施例１と同一部分には同一符号を付し、その詳細な説明を省略する。吐水口用洗堀防止具10ｃは、吐水受け体11の側面の左右の２方向の縁には流出方向規制部13が立上り板状に設けられていると共に、残りの側面の２方向の前面には流出用開口部15が設けられている。さらに、吐水受け体11と一体に固定部12の上端16が流出方向規制部13にボルト・ナット17により着脱自在に設けられている。
【００２８】
したがって、予め両側の流出用開口部15を所望方向に向けた状態で、吐水口４より落下する水田１の地表面６の箇所に吐水受け体10ｃを配置すると共に、固定部12を地表面６に挿入して固定する。これにより、吐水口４から水田１に給水される水は、吐水受け体10上に落下した後、いったん吐水受け体11上に溜まり、そして流出方向規制部13によって流出方向が規制されて、流出用開口部15より水田１へと流出する。
【００２９】
以上のように前記実施例では、前記実施例と同様に吐水受け体10は固定部12によって地表面６に固定されており、そして吐水口４より吐出した水ｗは、吐水受け体11上に落下することにより水ｗの勢いを吐水受け体11により受けとめて水田１に給水するようにしているので、水ｗによる地表面６の洗堀を防止できる。
【産業上の利用可能性】
【００３０】
以上のように本発明にかかる吐水口用洗堀防止具は、複数のものを並設すると共に、これらの流出方向規制部相互を固定部連結用ボルト孔を利用してボルト・ナットにより固定して幅の広い吐水口に対応できるような用途にも適用できる。
【図面の簡単な説明】
【００３１】
【図１】本発明の実施例１を示す斜視図である。
【図２】本発明の実施例１を示す平面図である。
【図３】本発明の実施例１を示す側面図である。
【図４】本発明の実施例２を示す斜視図である。
【図５】本発明の実施例３を示す斜視図である。
【図６】本発明の実施例４を示す斜視図である。
【符号の説明】
【００３２】
３  分水用コンクリート枡（給水路）
４  吐水口
６  地表面
11  吐水受け体
12  固定部
13，14  流出方向規制部
ｗ  水
【図１】
2005124453.tif 000003
【図２】
2005124453.tif 000004
【図３】
2005124453.tif 000005
【図４】
2005124453.tif 000006
【図５】
2005124453.tif 000007
【図６】
2005124453.tif 000008